(57)【要約】  【課題】  超音波プローブと被検体の接触状態を判定し、判定された接触状態に応じて設定変更の操作を制限することができる超音波診断装置を提供する。  【解決手段】  超音波プローブ１が被検体に接触しているか否かを判定する接触判定部６と、超音波プローブ１が被検体に接触していないと判定されるときに設定の変更が好ましくない項目を選択する操作制限項目設定部８と、設定の変更を行う操作インタフェースと操作インタフェースを制御する制御部７とを有し、接触判定部が超音波プローブと被検体が接触していないと判定したときに、制御部は操作制限項目設定部に設定された項目について操作インタフェースにおける設定の変更を不能とする。【選択図】  図１
2006212146.tif 000002
【特許請求の範囲】
【請求項１】
被検体に超音波を送信し、反射した超音波を受信する超音波プローブと、
前記超音波プローブで受信した信号を処理し断層画像データを生成する画像処理手段と、
前記断層画像データから断層画像を表示する表示手段とを備えた超音波診断装置において、
前記超音波プローブが前記被検体と接触しているか否かを判定する接触判定手段と、
各部を制御するための設定データの設定および変更を行う設定手段と、
前記接触判定手段の判定に基づいて、前記設定手段により設定される設定データを変更不能にする操作制限手段と、
前記操作制限手段により変更不能とされる設定データの項目を設定する操作制限項目設定手段と、
前記操作制限項目設定手段により設定された項目の設定データが設定変更不能であることを通知する操作制限通知手段とを備えたことを特徴とする超音波診断装置。
【請求項２】
前記操作制限手段が行う制限を解除する操作制限解除手段を有する請求項１記載の超音波診断装置。
【請求項３】
前記接触判定手段が前記超音波プローブと前記被検体とが接触していないと判定したときに、前記操作制限手段は、前記操作制限項目設定手段により設定された項目の設定データを設定変更不能にする請求項１または２記載の超音波診断装置。
【請求項４】
前記接触判定手段が前記超音波プローブと前記被検体とが接触していると判定したときに、前記操作制限手段は、前記操作制限項目設定手段により設定された項目の設定データを変更設定不能にする請求項１または２記載の超音波診断装置。
【請求項５】
前記操作制限項目設定手段は、前記接触判定手段が前記超音波プローブと前記被検体とが接触していないと判定したとき、接触していると判定したときのそれぞれの場合に設定の変更を不能にする設定データの項目を設定可能であり、前記超音波プローブと前記被検体との接触状態に応じて、前記操作制限項目設定手段により設定された項目の設定データを設定変更不能にする請求項１または２記載の超音波診断装置。
【請求項６】
前記接触判定手段が、所定の時間前記超音波プローブと前記被検体が接触しているか否かを判定するための時間を設定する判定時間設定手段を備え、
前記判定時間設定手段により設定された時間、前記接触判定手段が連続的に前記超音波プローブと前記被検体が接触していない、または接触していると判定した際に、前記操作制限手段は、前記操作制限項目設定手段により設定された項目の設定データを設定変更不能にする請求項３または４記載の超音波診断装置。
【発明の詳細な説明】
【技術分野】
【０００１】
本発明は、超音波診断装置、特に超音波診断装置のユーザインタフェースにおける操作制限に関する。
【背景技術】
【０００２】
超音波プローブの被検体への接触状態を判定し、判定結果に応じて制御を実行する超音波診断装置の一例として、超音波プローブ先端部に取り付けたセンサもしくは超音波プローブで得られた受信信号に基づいて超音波プローブの先端部と被検体との相互作用を分析し、分析結果に応じて動画像表示モードと静止画像表示モードの切り替えるというものが提案されている。（例えば、特許文献１参照）
図４は、超音波プローブと被検体との接触状態を判定する超音波診断装置の一構成を示すブロック図である。超音波プローブ１０２の先端に配置された超音波トランスデューサ１０１は、被検体１１２に接触しているか否かにより変化する被検体から
反射した超音波を受信する。受信した超音波の信号を分析することにより、接触検出部１０６は、超音波プローブ１０２と被検体１１２とが接触しているか否かを検出することができる。得られた接触、非接触の情報は、コントロール部１０７へ送信され、コントロール部１０７は、接触、非接触の情報が接触から非接触に移行したときに、表示される画像がフリーズ状態（静止画像モード）に移行し、非接触から接触に移行したときには動画像モードに移行するように、送受信制御部１０４および画像データを表示可能なデータに変換するデジタルスキャンコンバート部（ＤＳＣ部）１０９に指令を送信する。
【０００３】
一方、超音波トランスデューサ１０１で受信された超音波は、電気信号に変換され、送受信部１０３において、遅延合成などの信号処理が施され、アナログ制御部１０５において断層画像データに変換される。変換された断層画像データは、画像メモリ部１０８に保存され、必要に応じて、フリーズ状態における静止画像データ、動画像モードにおける動画像データとしてＤＳＣ部１０９へ出力される。出力された画像データは、ＤＳＣ部１０９において表示可能なデータに変換され、表示制御部１１０により画像としてＣＲＴ１１１に表示される。
【特許文献１】特開平９−２３８９４４号公報
【発明の開示】
【発明が解決しようとする課題】
【０００４】
しかしながら、上記従来の超音波診断装置は、超音波プローブと被検体との接触、非接触に応じて画像の表示モードを切り替えるというものであり、超音波プローブを被検体に接触させた状態、あるいは接触させていない状態で設定の変更をすることが好ましくない項目に対して制限を加えることができない。
【０００５】
本発明は、上記問題を解決するものであり、超音波プローブと被検体の接触状態を判定し、判定された接触状態に応じて設定変更の操作を制限することができる超音波診断装置を提供することを目的とする。
【課題を解決するための手段】
【０００６】
上記目的を達成するために、本発明の超音波診断装置は、被検体に超音波を送信し、反射した超音波を受信する超音波プローブと、超音波プローブで受信した信号を処理し断層画像データを生成する画像処理手段と、断層画像データから断層画像を表示する表示手段とを備えた超音波診断装置において、超音波プローブが被検体と接触しているか否かを判定する接触判定手段と、各部を制御するための設定データの設定および変更を行う設定手段と、接触判定手段の判定に基づいて、設定手段により設定される設定データを変更不能にする操作制限手段と、操作制限手段により変更不能とされる設定データの項目を設定する操作制限項目設定手段と、操作制限項目設定手段により設定された項目の設定データが設定変更不能であることを通知する操作制限通知手段とを備えたことを特徴とする。この構成により、超音波プローブが被検体に接触しているか否かにより、設定の変更を制限することができる。
【０００７】
また、操作制限手段が行う制限を解除する操作制限解除手段を有する構成にすることもできる。この構成により、制限されている項目についても制限を解除することができる。
【０００８】
また、接触判定手段が超音波プローブと被検体とが接触していないと判定したときに、操作制限手段は、操作制限項目設定手段により設定された項目の設定データを設定変更不能にする構成にすることもできる。
【０００９】
また、接触判定手段が超音波プローブと被検体とが接触していると判定したときに、操作制限手段は、操作制限項目設定手段により設定された項目の設定データを設定変更不能にする構成にすることもできる。
【００１０】
また、操作制限項目設定手段は、接触判定手段が超音波プローブと被検体とが接触していないと判定したとき、接触していると判定したときのそれぞれの場合に設定の変更を不能にする設定データの項目を設定可能であり、超音波プローブと被検体との接触状態に応じて、操作制限項目設定手段により設定された項目の設定データを設定変更不能にする構成にすることもできる。この構成により、超音波プローブと被検体との接触状況に応じて生じる好ましくない設定変更を、接触、非接触それぞれの場合において防止することができる。
【００１１】
また、接触判定手段が、所定の時間超音波プローブと被検体が接触しているか否かを判定するための時間を設定する判定時間設定手段を備え、判定時間設定手段により設定された時間、接触判定手段が連続的に超音波プローブと被検体が接触していない、または接触していると判定した際に、操作制限手段は、操作制限項目設定手段により設定された項目の設定データを設定変更不能にする構成にすることもできる。
【発明の効果】
【００１２】
本発明は、超音波プローブと被検体の接触状態を判定し、判定された接触状態に応じて設定変更の操作を制限することができる超音波診断装置を提供することができる。
【発明を実施するための最良の形態】
【００１３】
以下、本発明の好適な実施の形態について図面を参照しながら説明する。
【００１４】
（第１の実施の形態）
図１は、第１の実施の形態に係る超音波診断装置の一構成例を示すブロック図である。図１における超音波診断装置は、超音波を送受信する超音波プローブ１と、受信した超音波の信号に対して遅延合成を行うビームフォーマ２と、遅延合成された信号を処理し、断層画像データを構築する信号処理部３（画像処理手段）と、構築された断層画像データを格納するフレームメモリ４と、断層画像データを断層画像として表示するモニタ５（表示手段）と、例えばフレームメモリ４に保存された断層画像データを解析することにより、超音波プローブ１が被検体と接触しているか否かを判定する接触判定部６（接触判定手段）と、例えばプロセッサで構成され、各部（図１では、各部の例として信号処理部３）を制御するための設定および変更を行う制御部７（設定手段、操作制限手段、操作制限通知手段を含む）と、制御部７が行う変更操作に制限を加える項目を設定するための操作制限項目設定部８（操作制限項目設定手段）と、設定変更などの操作をするための操作インタフェース９を有している。
【００１５】
操作制限項目としては、例えば超音波画像の画質を調整することができる受信ゲインがある。超音波プローブが被検体に接触している場合と、接触していない場合では、超音波画像が異なる。そのため、超音波プローブが被検体と接触していない場合に受信ゲインを設定すると、検査時に誤った設定となる可能性が高くなる。従って、受信ゲインは、超音波プローブが被検体と接触していない場合に設定の変更を制限することが好ましい。
【００１６】
以上のような構成の超音波診断装置において、その動作について説明する。超音波プローブ１により送出された超音波ビームは、被検体により反射され、超音波プローブ１により受信され、電気信号に変換される。変換された電気信号は、ビームフォーマ２において、遅延合成処理が行われる。遅延合成処理された電気信号は、受信信号処理部３において、増幅、検波などの信号処理が施され、断層画像データが構築される。断層画像データは、フレームメモリ４において保存される。保存された断層画像データは、モニタ５および接触判定部６へ送信される。モニタ５において、断層画像データは、断層画像として表示される。
【００１７】
また、フレームメモリ４に保存された断層画像データは、接触判定部６により分析され、超音波プローブ１が被検体と接触しているか否かが判定される。接触の判定としては、例えば、断層画像の画素値の輝度のヒストグラムを算出し、ヒストグラムのばらつき（分散）がある閾値よりも小さい場合は、被検体と接触していない（空中放射である）と判定する方法がある。判定された結果は、制御部７に送信される。制御部７は、受信した判定結果が被検体に接触していないと判定される場合は、操作制限項目設定部８により設定される項目に対応する操作インタフェース９の項目を設定変更の操作ができないようにする。
【００１８】
図２は、操作制限項目設定部８のグラフィカル・ユーザ・インタフェース（ＧＵＩ）２１の一例をモニタ５上に示す図である。例えば、超音波プローブ１が被検体に接触していないときに超音波ビームの受信ゲインの変更操作を不能にしたい場合には、操作制限項目設定部８のＧＵＩ２１上で受信ゲインの項目を選択することによって、制御部７は、受信ゲインの設定変更の操作を不能にさせる。
【００１９】
また、操作インタフェース９は操作制限解除ボタン（操作制限解除手段）を備えている。操作制限が実行されている状態で操作制限解除ボタンを押下すると操作制限が解除され、操作制限が解除されている状態で操作制限解除ボタンを押下すると操作制限が実行される。また、操作制限解除ボタンは操作制限が実行されている状態では点灯しており、操作制限が解除されている状態では消灯されている。従って操作者は操作制限解除ボタンの点灯、消灯によって操作インタフェース９の操作制限が実行されているか否かを検知することができる。例えば、超音波プローブ１が被検体に接触している状態から非接触の状態に遷移した場合、操作制限解除ボタンが点灯し、操作制限が実行された状態になる。ここで操作者が操作制限解除ボタンを押下すると、操作制限解除ボタンは消灯し操作制限は解除される。このとき操作制限解除ボタンを押下するか、超音波プローブ１を被検体に接触させた後に非接触にするという動作によって再び操作制限は実行される。
【００２０】
なお、本実施の形態では、接触判定部６が超音波プローブ１と被検体が接触していないと判定したときに設定変更操作の制限が行われる構成になっている。しかし、例えば、超音波の送信出力の変更により、超音波プローブの表面温度が異常に高くなる場合に対処できるように、超音波プローブ１と被検体が接触していると判定したときに設定変更操作の制限が行われる構成にすることもできる。
【００２１】
また、接触判定部６が超音波プローブ１と被検体が接触していないと判定するときの設定変更操作の制限および被検体に接触していると判定するときの設定変更操作の制限を共に有する構成にすることもできる。
【００２２】
以上のように、本実施の形態に係る超音波診断装置は、超音波プローブが被検体に接触しているか否かを判定し、設定された一部の項目に対して操作を不能にすることにより、好ましくない設定の変更を防ぐことができる。
【００２３】
（第２の実施の形態）
図３は、第２の実施の形態に係る超音波診断装置の一構成例を示すブロック図である。この超音波診断装置は、第１の実施の形態に係る超音波診断装置に判定時間設定部１１が付加された構成となっており、それ以外の構成および機能は、第１の実施の形態に係る超音波診断装置と同様であるので同一の符号を付して説明を省略する。判定時間設定部１１は、操作制限を行うか否かを判定するための判定時間を設定し、制御部１２は、設定された時間、超音波プローブ１と被検体との接触、非接触状態が連続して続くか否かを監視する。
【００２４】
制御部１２は、接触判定部６から操作制限を行うとの判定が判定時間連続した時に操作制限項目設定部８により設定された項目が操作インタフェース９による設定変更操作を不能にさせる。
【００２５】
以上のように、本実施の形態における超音波診断装置は、超音波プローブが被検体に接触しているか否かを判定し、設定された一部の項目に対して設定変更操作を不能にすることにより、好ましくない設定の変更を防ぐことができる。
【００２６】
さらに、接触状態判定時間を短く設定すれば装置の応答性が向上することが可能となり、逆に、接触状態判定時間を長く設定すれば接触状態をより正確に判定することが可能となるため、操作者が状況に応じて判定時間を設定することにより、適切な操作性を得ることができる。
【産業上の利用可能性】
【００２７】
本発明の超音波診断装置は、超音波プローブが被検体に接触しているかを判定し、接触あるいは非接触であると好ましくない設定変更を不可することができ、医療分野の特に超音波診断において有用である。
【図面の簡単な説明】
【００２８】
【図１】本発明の第１の実施の形態に係る超音波診断装置の一構成例を示すブロック図
【図２】本発明の第１の実施の形態における操作制限項目設定部のグラフィカル・ユーザ・インタフェースを示す図
【図３】本発明の第２の実施の形態に係る超音波診断装置の一構成例を示すブロック図
【図４】従来の超音波診断装置に係るブロック図
【符号の説明】
【００２９】
１  超音波プローブ
２  ビームフォーマ
３  信号処理部
４  フレームメモリ
５  モニタ
６  接触判定部
７、１２  制御部
８  操作制限項目設定部
９  操作インタフェース
１１  判定時間設定部
２１  グラフィカル・ユーザ・インタフェース
【図１】
2006212146.tif 000003
【図２】
2006212146.tif 000004
【図３】
2006212146.tif 000005
【図４】
2006212146.tif 000006